(57)【要約】【課題】  記録位相誤差調整により記録クロックにジッターを生じることなく、記録データの位相を制御可能な光ディスク装置、情報記録方法及び情報記録媒体を提供する。【解決手段】記録ストリーム生成器１７は、入力された記録データＲＤから記録クロックＲＣＫの位相に同期した記録データブロックストリームＲＤＢＳを生成し、更に記録データブロックストリームＲＤＢＳを構成する所定データユニット毎に、該データユニットの位相を示すデータ位相信号ＲＤＰＲを生成する。ＶＦＯ挿入部２１は所定量（３２セクター）の記録データストリームＲＤＢＳの間に、前記ウォーブルアドレス位相基準パルスＷＰＲと記録データ位相基準パルスＲＤＰＲの位相差に応じた時間長のＶＦＯ信号を挿入し、ＶＦＯ信号及び記録データブロックストリームＲＤＢＳからなる記録データストリームＲＳＴを提供する。ＬＤ２０は記録データストリームＲＳＴを光ビームを用いて光ディスクに記録する。  【選択図】    図７  
2005190583.tif 000002
【特許請求の範囲】
【請求項１】
アドレス情報により変調されたウォーブルが形成された光ディスクのトラックの反射光からウォーブル信号を生成するウォーブル信号生成手段と、
前記ウォーブル信号の周波数を逓倍し、情報記録時の記録クロックＲＣＫを生成する記録クロック生成手段と、
前記ウォーブル信号から、各ウォーブルアドレスの位相を示すアドレス位相信号を生成するアドレス位相生成手段と、
前記記録クロックＲＣＫを分周したＶＦＯ(Variable Frequency Oscillator)信号を発生するＶＦＯ信号発生手段と、
入力された記録データから、前記記録クロックの位相に同期した第１記録データストリームを生成し、前記第１記録データストリームを構成する所定データユニット毎に、該データユニットの位相を示すデータ位相信号を生成する記録ストリーム生成手段と、
所定量の前記第１記録データストリームの間に、前記アドレス位相信号ＷＰＲと前記データ位相信号ＲＤＰＲの位相差に応じた時間長の前記ＶＦＯ信号を挿入し、前記ＶＦＯ信号及び前記第１記録データストリームからなる第２記録データストリームを提供する挿入手段と、
前記第２記録データストリームを光ディスクに記録する記録手段と、
を具備することを特徴とする光ディスク装置。
【請求項２】
前記記録ストリーム生成手段により生成される前記第１記録データストリームは複数のセクターから構成され、前記データ位相信号は各セクターの位置を示すセクター同期信号であることを特徴とする請求項１記載の光ディスク装置。
【請求項３】
前記記録ストリーム生成手段により生成される前記第１記録データストリームは複数のセクターから構成され、各セクターは複数のフレームから構成され、前記データ位相信号は各フレームの位置を示すフレーム同期信号であることを特徴とする請求項１記載の光ディスク装置。
【請求項４】
前記挿入手段は、  前記記録ブロックストリームと前記ＶＦＯ信号の一方を、前記測定した位相差に応じて選択し、前記ＶＦＯ信号及び前記記録ブロックストリームからなる記録ストリームを提供する切替手段を具備することを特徴とする請求項１記載の光ディスク装置。
【請求項５】
前記挿入手段は、前記記録ブロックストリームと前記ＶＦＯ信号の論理和を出力する論理和回路を具備し、前記位相差に基づく制御信号を記録ストリーム生成手段及び前記ＶＦＯ信号発生手段に出力することを特徴とする請求項１記載の光ディスク装置。
【請求項６】
情報を光ディスクに記録する光ディスク装置の情報記録方法であって、
アドレス情報により変調されたウォーブルが形成された前記光ディスクのトラックの反射光からウォーブル信号を生成し、
前記ウォーブル信号の周波数を逓倍し、情報記録時の記録クロックを生成しと、
前記ウォーブル信号から、各ウォーブルアドレスの位相を示すアドレス位相信号を生成し）、
前記記録クロックを分周したＶＦＯ信号を生成し、
入力された記録データから、前記記録クロックの位相に同期した第１記録データストリームを生成し、
前記第１記録データストリームを構成する所定データユニット毎に、該データユニットの位相を示すデータ位相信号を生成し、
前記アドレス位相信号と前記データ位相信号の位相差を測定し、
所定量の前記第１記録データストリームの間に、前記位相差に応じた時間長の前記ＶＦＯ信号を挿入し、前記ＶＦＯ信号及び前記第１記録データストリームからなる第２記録データストリームを提供し、
前記第２記録データストリームを光ディスクに記録することを特徴とする情報記録方法。
【請求項７】
情報を記録再生するためのトラックが案内溝として形成され、アドレス情報が該案内溝のウォブルによって記録され、該ウォーブルの周波数を逓倍した記録クロックを分周したＶＦＯ信号が所定量のデータストリーム毎に挿入された情報記録媒体であって、前記ウォーブルの波形の状況に応じて、前記ＶＦＯ信号の記録長が可変されていることを特徴とする情報記録媒体。
【発明の詳細な説明】
【技術分野】
【０００１】
本発明はアドレス情報が記録トラックのウォブルとして記録された光ディスク、及び該光ディスクに対して情報の記録再生を行う光ディスク装置及び情報記録方法に関する。
【背景技術】
【０００２】
書き換え可能な光ディスクとしてはＤＶＤ−ＲＡＭやＤＶＤ−ＲＷが知られている。これらの光ディスクは透明基板上に情報記録層を形成し、レーザー光をこれに集光することで、情報の記録再生を行っている。また、情報の記録再生の手段として、光ディスクの情報記録層はグルーブと呼ばれる案内溝を有している。情報の記録再生はこの案内溝に沿って行われる。また、情報を記録再生する空間的な位置を特定するための、物理アドレスが案内溝に沿って形成されている。
【０００３】
ここで、高密度化の手段として、ＤＶＤ−ＲＡＭではランドアンドグルーブ記録と呼ばれる技術を採用している。ＤＶＤ−ＲＡＭでは、案内溝の凹部であるグルーブと凸部であるランドの両方に情報を記録することで記録データの半径方向の間隔を狭くし、記録容量を高めている。一方、物理アドレスはプリピットと呼ばれる基板の断続的な凹凸によって形成されている。また、この間は上記案内溝は途切れることになる。
【０００４】
これに対し、−ＲＷでは案内溝の凹部であるグルーブにのみ情報を記録している。一方、物理アドレスの形成手段として案内溝を半径方向に小さく振動させるグルーブウォブルの変調（以下ウォブル変調）を利用している。ウォブル変調による物理アドレスは、記録トラックを遮断しないことから、ユーザー情報を記録する面積が広いすなわちフォーマット効率が高い、再生専用メディアとの互換がとりやすいといった利点がある。
【０００５】
このようにウォーブル変調によるアドレス情報を有する光ディスクに情報を記録する光ディスク装置では、情報記録中にウォーブルアドレスの位相とセクター等の記録データの位相が同期することが求められる。しかし、何らかの原因でウォーブルアドレスの位相と記録データの位相に位相差が生じることがある。このような位相差が生じた状態でデータが光ディスクに記録されると、記録データの再生が困難となる場合がある。下記特許文献では、位相差に応じて記録クロックの周波数を可変する技術が説明されている。
【特許文献１】特開２００２−３２９６２号公報
【発明の開示】
【発明が解決しようとする課題】
【０００６】
上記特許文献では、記録ストリーム位相とウォーブルアドレス位相に位相誤差が生じた場合、記録クロック周波数を制御して位相誤差を除去するため、記録クロックにジッターが生じ、記録信号の品位が低下するという問題があった。
【０００７】
従って本発明は、記録位相誤差調整により記録クロックにジッターを生じることなく、記録データの位相を制御可能な光ディスク装置、情報記録方法及び情報記録媒体を提供することを目的としている。
【課題を解決するための手段】
【０００８】
上記目的を達成するために本発明の一実施形態に係る光ディスク装置は、アドレス情報により変調されたウォーブルが形成された光ディスクのトラックの反射光からウォーブル信号を生成するウォーブル信号生成手段と、前記ウォーブル信号の周波数を逓倍し、情報記録時の記録クロックＲＣＫを生成する記録クロック生成手段と、前記ウォーブル信号から、各ウォーブルアドレスの位相を示すアドレス位相信号を生成するアドレス位相生成手段と、前記記録クロックＲＣＫを分周したＶＦＯ(Variable Frequency Oscillator)信号を発生するＶＦＯ信号発生手段と、入力された記録データから、前記記録クロックの位相に同期した第１記録データストリームを生成し、前記第１記録データストリームを構成する所定データユニット毎に、該データユニットの位相を示すデータ位相信号を生成する記録ストリーム生成手段と、所定量の前記第１記録データストリームの間に、前記アドレス位相信号ＷＰＲと前記データ位相信号ＲＤＰＲの位相差に応じた時間長の前記ＶＦＯ信号を挿入し、前記ＶＦＯ信号及び前記第１記録データストリームからなる第２記録データストリームを提供する挿入手段と、前記第２記録データストリームを光ディスクに記録する記録手段とを具備する。
【発明の効果】
【０００９】
記録位相誤差調整により記録クロックにジッターを生じることなく、記録データの位相を制御可能な光ディスク装置が提供される。
【発明を実施するための最良の形態】
【００１０】
以下、図面を参照しながら本発明の実施形態について詳細に説明する。
【００１１】
ユーザー情報を記録可能な光ディスクは、透明基板上の情報記録層における情報記録エリアに、グルーブと呼ばれる案内溝を有している。案内溝はトラックとよばれ、情報の記録再生はこのトラックに沿って行われる。トラックは図１に示すように内側から外側まで連続してつながるスパイラル型と、図示はしないが複数の同心円から形成される同心円型がある。
【００１２】
図２はトラックの拡大図である。トラックは情報記録層の凹凸によって形成されており、片側をグルーブ、もう一方をランドと呼ぶ。例えばＤＶＤ−ＲＡＭあるいは次世代の記録可能光ディスクでは、このランドとグルーブの両方に情報を記録マークとして形成することで、半径方向の密度を高めている。
【００１３】
図３（ａ）はトラックを上から見た図である。本発明に係る光ディスクのトラックは、半径方向にわずかに蛇行している。このようなトラックをウォブルトラックと呼ぶ。このウォブルトラックに沿って、集光されたビームスポットを走査していくと、ウォブルの周波数はトラッキングサーボ信号の帯域に比べ高い周波数であるため、ビームスポットはウォブルトラックの中心をほぼ直進する。このときの反射光を後述の図７におけるＰＤ（photodiode)１５のような半径方向に２分割された光検知器で受光して、２つの光検知素子から得られる検知信号の和信号及び差信号が生成される。
【００１４】
図３（ｂ）のように和信号はほとんど変化せず、図３（ｃ）のように差信号のみがウォブルにあわせて変化する。このように記録可能な光ディスクの場合、この差信号はトラックのウォーブルを反映しているので、ここではウォーブル信号ＷＢと呼ぶことにする。ウォーブル信号は、記録クロックのリファレンスまたはスピンドルの回転周波数の調整用信号として利用される。
【００１５】
更に記録可能な光ディスクでは、このウォーブルを変調することによって、光ディスクの情報記録領域における物理的な位置を示す物理アドレス情報を記録することができる。すなわち、トラックに付与するウォブルを図４（ａ）、４（ｂ）に示すような、周波数変調もしくは、位相変調することによって、物理アドレス情報が記録される。図４（ａ）、５（ｂ）に示す信号は共に、例えば”１”、”０”、”１”、”０”を示す。ウォーブル信号ＷＢを処理することにより、光ディスク上のレーザビームが照射されている個所の位置を示す物理アドレス情報を抽出することができる。  
図５は本実施形態に係るデータトラック構成とウォーブルアドレスの関係を模式的に示す図である。
【００１６】
記録データは所定データ長に分割されて記録データブロック１０１を形成する。ディスク上のデータトラックは各記録データブロック間に所定長のＶＦＯ(Variable Frequency Oscillator)信号１０２が挿入されて構成される。情報記録再生時の基準クロックの周期をＴとすると、ＶＦＯ信号は例えば周期４Ｔの連続クロック信号で、各記録ブロック１０１の区切りを示している。またＶＦＯは再生時に再生データに同期したクロックを生成するＰＬＬ回路での同期引き込みを補助するために用いられる。各記録データブロック１０１は例えば３２セクターから構成され、各セクターは例えば２キロバイトのデータを有し、例えば２６フレームから構成される。記録トラックは上記ウォーブルトラックで形成され、ウォーブルトラックにはトラック位置を示すウォーブルアドレスが重畳記録されている。
【００１７】
図６は各ウォーブルアドレスブロック（＝ウォーブルアドレス領域）１０３の構成を示す図である。
【００１８】
図５のウォーブルアドレスＷＡＤＲ（ｍ−１、ｍ、ｍ＋１…）で示される各ウォーブルアドレスブロック１０３は図６のように構成されている。１つのウォーブルアドレスブロック１０３は１つのウォーブルアドレスを構成する。ウォーブルアドレスブロック１０３は１つのウォーブルアドレスブロック同期バイトＳｙｎｃと１６個のウォーブルアドレスバイト１０４で構成される。ウォーブルアドレスブロック同期バイトＳｙｎｃと１６個のウォーブルアドレスバイト１０４は共に８４波のウォーブルで構成されるので、ウォーブルアドレスブロック１０３は１４２８波のウォーブルを有する。
【００１９】
ＩＰＭは無変調のウォーブル信号、ＮＰＷは変調されたウォーブル信号であり、隣り合うＩＰＷとＮＰＷは極性が反転している。ウォーブルアドレスブロック同期バイトＳｙｎｃは６波のＩＰＷ、４波のＮＰＷ、６波のＩＰＷ、６８波のＮＰＷで構成される。ウォーブルアドレスバイト１０４には３ビットの情報が記録されている。１ビットはウォーブル４波で記録され、ＮＰＷの場合は“０”を、ＩＰＷの場合は“１”を示す。
【００２０】
４８ビット（＝３ビット×１６バイト）で１つのウォーブルアドレスが得られる。
【００２１】
記録データはウォーブルアドレスと位相同期して記録されることが求められる。記録データブロック１０１が上記セクター及びフレームのように分割されている場合、該セクターやタフレームもウォーブルアドレスＷＡＤＲに位相同期して記録されることが求められる。
【００２２】
図７は本実施形態に係る情報記録装置としての光ディスク装置の主要部の構成例を示す図、図８及び図９は、図７に示す情報記録装置の動作を示すタイミングチャートである。
【００２３】
前述したように、ＰＤ１０の各半面を構成する光検知素子から提供される２つの検知信号は、加算器１１により加算されて再生ストリーム信号が生成され、差分器１２により減算されてウォーブル信号ＷＢが生成される。ウォーブル信号ＷＢはウォーブルＰＬＬ１３及びウォーブルアドレス復号器１５に入力される。ウォーブルＰＬＬ１３はウォーブル信号ＷＢを２値化し、ウォーブルクロックＷＣＫを生成する。ウォーブルクロックＷＣＫは、記録クロック逓倍ＰＬＬ及びウォーブルアドレス復号器１５に入力される。
【００２４】
ウォーブルアドレス復号器１５はウォーブル信号ＷＢからウォーブルクロックＷＣＫを基準にウォーブルアドレスＷＡＤＲを復号する。ウォーブルアドレスＷＡＤＲはホスト装置に送信され、情報記録再生時におけるディスク上アドレスとして用いられる。ウォーブルアドレス復号器１５は各ウォーブルアドレスの例えば先頭を検出し、ウォーブル位相基準パルスＷＰＲを出力する。
【００２５】
ウォーブルアドレス復号器１５の入出力波形を図８に示す。ウォーブルアドレス復調器１５はウォーブル信号ＷＢとウォーブルクロックＷＣＫの極性を比較し、同じ場合は“Ｌ”、異なる場合は”Ｈ”となるウォーブル復調ＷＢＤ信号を内部で生成する。従ってウォーブル復調信号ＷＢＤは、上記ＩＰＷ部分で“Ｈ”となる信号である。これから、ウォーブルアドレスブロック同期バイトを検出（６ＩＰＷ、４ＮＰＷ、６ＩＰＷのパターン）してウォーブル位相基準パルスＷＰＲを生成する。
【００２６】
記録クロック逓倍ＰＬＬ１４は、ウォーブルクロックＷＣＫの周波数を例えば９３逓倍し、チャネル周波数相当の記録クロックＲＣＫを生成する。つまり記録クロック逓倍ＰＬＬ１４により、１ウォーブルが９３記録クロックＲＣＫに変換される。記録クロック逓倍ＰＬＬ１４はＶＣＯ(voltage controlled oscillator)１４ａを含み、記録クロックＲＣＫとウォーブルクロックＷＣＫの位相差に対応して、記録クロックＲＣＫの周波数を可変し、位相がウォーブルクロックＷＣＫに同期する記録クロックＲＣＫを出力する。
【００２７】
記録ストリーム生成器１７はホスト装置から入力される記録データＲＤに基づいて、記録データブロックに相当する記録データブロックストリームＲＤＢＳを生成する。この際、記録データブロックストリームＲＤＢＳのチャネル周波数は、記録クロックＲＣＫを基準に得ている。つまり記録データブロックストリームＲＤＢＳの各データ（２値信号）は記録クロックＲＣＫの周期で、記録ストリーム生成器１７から出力される。また記録ストリーム生成器１７は、ホスト装置から送られた記録データ中のセクターまたはフレーム（図５参照）を検出し、セクター同期位置またはフレーム同期位置を示す記録データ位相基準パルスＲＤＰＲを記録クロックＲＣＫに同期して出力する。記録データ位相基準パルスＲＤＰＲはセクター同期位置（各セクターの例えば先頭位置）またはフレーム同期位置（各フレームの例えば先頭位置）を示す信号である。
【００２８】
記録データブロックストリームＲＤＢＳは切り替え器１９に入力される。また、ＶＦＯパターン発生器１８で生成されるＶＦＯ信号も切り替え器１９に入力される。このＶＦＯ信号は、前述したように記録クロックＲＣＫを例えば４分周した信号である。
【００２９】
記録タイミング制御器１９にはウォーブルアドレス復号器１５からのウォーブル位相基準パルスＷＰＲ、及び記録ストリーム生成器１７からの記録データ位相基準パルスＲＤＰＲが入力される。記録タイミング制御器１６は入力されるこれら信号ＷＰＲ及びＲＤＰＲの位相差を測定する。図９では、ウォーブル位相基準パルスＷＰＲと記録データ位相基準パルスＲＤＰＲ間に位相差はなく、位相差量ＰＤＡは常に０となっている。記録タイミング制御器１６はウォーブル位相基準パルスＷＰＲと記録データ位相基準パルスＲＤＰＲ及び位相差量ＰＤＡに基づいて、記録データ選択信号ＲＤＳを生成し、切り替え器１９に提供する。
【００３０】
切り替え器１９は、記録データ選択信号ＲＤＳが例えばハイレベルのとき、ＶＦＯ信号を選択的に出力し、記録データ選択信号ＲＤＳがローレベルのとき、記録データブロックストリームＲＤＰＳを選択的に出力する。この結果、記録ストリームＲＳＴが生成される。記録ストリームＲＳＴはＬＤドライバ２０を介してレーザー光を変調し、変調されたレーザ光により、記録ストリームＲＳＴはディスクに記録される。尚、切替器１９及び記録タイミング制御器１６はＶＦＯ挿入部２１を構成する。従ってＶＦＯ挿入部２１は、所定量（３２セクター）の記録データストリームＲＤＢＳの間に、前記ウォーブルアドレス位相基準パルスＷＰＲと記録データ位相基準パルスＲＤＰＲの位相差に応じた時間長のＶＦＯ信号を挿入し、ＶＦＯ信号及び記録データブロックストリームＲＤＢＳからなる記録データストリームＲＳＴを提供する。
【００３１】
次に記録クロックＲＣＫが変化した場合の動作を説明する。
【００３２】
図１０は記録データブロック（ｎ）の生成において、記録クロックＲＣＫの周波数が何らかの原因で一時的に高まった場合を示す。本来、記録データブロック（ｎ）のデータ終端はウォーブルアドレス（ｍ＋６）終端に一致することが望まれるが、図１０ではそれ以前に記録データブロック（ｎ）の記録が終了している。
【００３３】
例えば、ディスク製造時に形成されるウォーブルに不良があった場合、あるいはデータ記録時のディスクにキズ又は汚れが付いていた場合、正常なウォーブル信号ＷＢが得られない。このような場合、ウォーブルＰＬＬ１３のウォーブルクロックＷＣＫが不安定となる。この結果、記録クロック逓倍ＰＬＬのＶＣＯ１４ａの入力電圧が不安定となり、出力される記録クロックＲＣＫの周波数が変化する。記録クロックＲＣＫの周期が変化すると、記録データ位相基準パルスＲＤＰＲの周期も変化する。例えば、記録クロックＲＣＫの周期が短くなると、記録データ位相基準パルスＲＤＰＲの周期も短くなる。
【００３４】
このようにウォーブル信号波形が乱れた場合でも、図１０のようにウォーブル位相基準パルスＷＰＲは一般に乱れない。これは、ディスク上に形成されたウォーブルトラックにおいて、ウォーブルアドレスブロック１０３内のウォーブルアドレスブロック同期バイトＳｙｎｃ（図6参照）の最初の１６ウォーブル波（６ＩＰＷ、４ＮＰＷ、６ＩＰＷ）周辺のウォーブルが正常に検出されている限り、ウォーブル位相基準パルスＷＰＲも正常に発生するからである。
【００３５】
ウォーブル信号波形が乱れ、記録クロック周波数が変化すると、ウォーブル位相基準パルスＷＰＲと記録データ位相基準パルスＲＤＰＲ（セクター同期位置またはフレーム同期位置）の位相にずれが生じる。記録タイミング制御器１６は、この位相ずれ量（位相差）を測定する。記録タイミング制御器１６は、この位相差に対応してＶＦＯ信号記録領域を伸長するように切替器１９を制御する。この結果、図１０のように、記録データブロック（ｎ＋１）はウォーブルアドレス（ｍ＋８）の先頭から記録される。図１０では記録データブロック（ｎ）において、記録クロックＲＣＫの４０クロック分位相が早まっていることが検出されたので、ＶＦＯは４０クロック分伸長されている。
【００３６】
一方、図１１は記録データブロック（ｎ）の生成において、例えばウォーブル信号の乱れにより、記録クロック周波数が一時的に低下した場合を示す。本来、記録データブロック（ｎ）のデータ終端はウォーブルアドレス（ｍ＋６）終端に一致することが望まれるが、それ以後に記録データブロック（ｎ）の記録が終了している。
【００３７】
記録タイミング制御器１６は、この位相ずれ量（位相差）を測定する。記録タイミング制御器１６は、この位相差に対応してＶＦＯ信号記録領域を縮減するように切替器１９を制御する。この結果、記録データブロック（ｎ＋１）はウォーブルアドレス（ｍ＋８）の先頭から記録される。図１１では記録データブロック（ｎ）において、記録クロックＲＣＫの８０クロック分位相が遅延していることが検出されたので、ＶＦＯは８０クロック分短縮されている。
【００３８】
以上説明したように本実施形態によれば、記録クロック周波数に変動が生じ、記録データ位置にずれが生じても、記録クロックジッタを増大させることなく、記録データ位置を正しく補正することができる。
【００３９】
図１２は本発明の第２実施形態に係る光ディスク装置の主要部の構成例を示す図である。
【００４０】
第２実施形態では、ＶＦＯ挿入部２１はＯＲ回路２２及び記録タイミング制御器１６から構成される。記録タイミング制御器１６から出力される記録データ選択信号ＲＤＳは、ＶＦＯパターン発生器１８及び記録ストリーム生成器１７に供給されている。記録データ選択信号ＲＤＳが例えばハイレベルの時、記録ストリーム生成器１７は記録データブロックストリームＲＤＢＳを出力し、記録データ選択信号ＲＤＳがローレベルの時、ＶＦＯパターン発生器１８はＶＦＯ信号を出力する。ＯＲ回路２２は記録データブロックストリームＲＤＢＳとＶＦＯ信号の論理和をＬＤ２０に出力する。本実施形態では切替器１９がＯＲ回路２２に変更されているので、回路構成を簡単にすることができる。
【００４１】
以上の説明はこの発明の実施の形態であって、この発明の装置及び方法を限定するものではない。又、各実施形態における構成要素、機能、特徴あるいは方法ステップを適宜組み合わせて構成される装置又は方法も本発明に含まれるものである。
【図面の簡単な説明】
【００４２】
【図１】光ディスク上に形成されたトラックの構成を示す図。
【図２】光ディスク上に形成されたトラックの拡大図。
【図３】トラックを上から見た拡大図、再生信号の和信号及び差信号を示す図。
【図４】周波数変調及び位相変調されたウォブルを示す図。
【図５】データトラック構成とウォーブルアドレスの関係を模式的に示す図。
【図６】各ウォーブルアドレスブロック１０３の構成を示す図。
【図７】本発明の第１実施形態に係る光ディスク装置の主要部の構成例を示す図。
【図８】ウォーブルアドレス復号器１５の入出力波形を示す図。
【図９】図７に示す情報記録装置の動作を示すタイミングチャート。
【図１０】記録データブロック（ｎ）の生成において、記録クロックＲＣＫの周波数が何らかの原因で一時的に高まった場合を示す図。
【図１１】記録データブロック（ｎ）の生成において、例えばウォーブル信号の乱れにより、記録クロック周波数が一時的に低下した場合を示す図。
【図１２】本発明の第２実施形態に係る光ディスク装置の主要部の構成例を示す図。
【符号の説明】
【００４３】
１０…フォトダイオード、１１…加算器、１２…差分器、１３…ウォーブルＰＬＬ、１４…記録クロック逓倍ＰＬＬ、１５…ウォーブルアドレス復号器、１６…記録タイミング制御器、１７…記録ストリーム生成器、１８…ＶＦＯパターン発生器、１９…切替器２０…レーザダイオード。
【図１】
2005190583.tif 000003
【図２】
2005190583.tif 000004
【図３】
2005190583.tif 000005
【図４】
2005190583.tif 000006
【図５】
2005190583.tif 000007
【図６】
2005190583.tif 000008
【図７】
2005190583.tif 000009
【図８】
2005190583.tif 000010
【図９】
2005190583.tif 000011
【図１０】
2005190583.tif 000012
【図１１】
2005190583.tif 000013
【図１２】
2005190583.tif 000014
【手続補正書】
【提出日】平成17年1月18日(2005.1.18)
【手続補正１】
【補正対象書類名】特許請求の範囲
【補正対象項目名】全文
【補正方法】変更
【補正の内容】
【特許請求の範囲】
【請求項１】
アドレス情報により変調されたウォーブルが形成された光ディスクのトラックの反射光からウォーブル信号を生成するウォーブル信号生成手段と、
前記ウォーブル信号の周波数を逓倍し、情報記録時の記録クロックを生成する記録クロック生成手段と、
前記ウォーブル信号から、各ウォーブルアドレスの位相を示すアドレス位相信号を生成するアドレス位相生成手段と、
前記記録クロックに基づいて生成されるＶＦＯ(Variable Frequency Oscillator)信号を提供するＶＦＯ信号生成手段と、
入力された記録データから、前記記録クロックの位相に同期した第１記録データストリームを生成し、前記第１記録データストリームを構成する所定データユニット毎に、該データユニットの位相を示すデータ位相信号を生成する記録ストリーム生成手段と、
所定量の前記第１記録データストリームの間に、前記アドレス位相信号と前記データ位相信号の位相差に応じた時間長の前記ＶＦＯ信号を挿入し、前記ＶＦＯ信号及び前記第１記録データストリームからなる第２記録データストリームを提供する挿入手段と、
前記第２記録データストリームを光ディスクに記録する記録手段と、
を具備することを特徴とする光ディスク装置。
【請求項２】
前記記録ストリーム生成手段により生成される前記第１記録データストリームは複数のセクターから構成され、前記データ位相信号は各セクターの位置を示すセクター同期信号であることを特徴とする請求項１記載の光ディスク装置。
【請求項３】
前記記録ストリーム生成手段により生成される前記第１記録データストリームは複数のセクターから構成され、各セクターは複数のフレームから構成され、前記データ位相信号は各フレームの位置を示すフレーム同期信号であることを特徴とする請求項１記載の光ディスク装置。
【請求項４】
前記挿入手段は、  前記記録ブロックストリームと前記ＶＦＯ信号の一方を、前記測定した位相差に応じて選択し、前記ＶＦＯ信号及び前記記録ブロックストリームからなる記録ストリームを提供する切替手段を具備することを特徴とする請求項１記載の光ディスク装置。
【請求項５】
前記挿入手段は、前記記録ブロックストリームと前記ＶＦＯ信号の論理和を出力する論理和回路を具備し、前記位相差に基づく制御信号を記録ストリーム生成手段及び前記ＶＦＯ信号生成手段に出力することを特徴とする請求項１記載の光ディスク装置。
【請求項６】
情報を光ディスクに記録する光ディスク装置の情報記録方法であって、
アドレス情報により変調されたウォーブルが形成された前記光ディスクのトラックの反射光からウォーブル信号を生成し、
前記ウォーブル信号の周波数を逓倍し、情報記録時の記録クロックを生成し、
前記ウォーブル信号から、各ウォーブルアドレスの位相を示すアドレス位相信号を生成し）、
前記記録クロックに基づいて生成されるＶＦＯ信号を提供し、
入力された記録データから、前記記録クロックの位相に同期した第１記録データストリームを生成し、
前記第１記録データストリームを構成する所定データユニット毎に、該データユニットの位相を示すデータ位相信号を生成し、
前記アドレス位相信号と前記データ位相信号の位相差を測定し、
所定量の前記第１記録データストリームの間に、前記位相差に応じた時間長の前記ＶＦＯ信号を挿入し、前記ＶＦＯ信号及び前記第１記録データストリームからなる第２記録データストリームを提供し、
前記第２記録データストリームを光ディスクに記録することを特徴とする情報記録方法。
【請求項７】
情報を記録再生するためのトラックが案内溝として形成され、アドレス情報が該案内溝のウォブルによって記録され、該ウォーブルの周波数を逓倍した記録クロックを分周したＶＦＯ信号が所定量のデータストリーム毎に挿入された情報記録媒体であって、前記ウォーブルの波形の状況に応じて、前記ＶＦＯ信号の記録長が可変されていることを特徴とする情報記録媒体。
【手続補正２】
【補正対象書類名】明細書
【補正対象項目名】０００８
【補正方法】変更
【補正の内容】
【０００８】
上記目的を達成するために本発明の一実施例形態に係る光ディスク装置は、アドレス情報により変調されたウォーブルが形成された光ディスクのトラックの反射光からウォーブル信号を生成するウォーブル信号生成手段と、前記ウォーブル信号の周波数を逓倍し、情報記録時の記録クロックを生成する記録クロック生成手段と、前記ウォーブル信号から、各ウォーブルアドレスの位相を示すアドレス位相信号を生成するアドレス位相生成手段と、前記記録クロックに基づいて生成されるＶＦＯ(Variable Frequency Oscillator)信号を提供するＶＦＯ信号生成手段と、入力された記録データから、前記記録クロックの位相に同期した第１記録データストリームを生成し、前記第１記録データストリームを構成する所定データユニット毎に、該データユニットの位相を示すデータ位相信号を生成する記録ストリーム生成手段と、所定量の前記第１記録データストリームの間に、前記アドレス位相信号と前記データ位相信号の位相差に応じた時間長の前記ＶＦＯ信号を挿入し、前記ＶＦＯ信号及び前記第１記録データストリームからなる第２記録データストリームを提供する挿入手段と、前記第２記録データストリームを光ディスクに記録する記録手段とを具備する。